(57)【要約】【課題】他のチューブ状容器にゲル状の内容物を供給できるようにしたゲル状物容器の提供。【解決手段】一端に注出口を有するチューブ状容器において、内容物の漏出を防止するキャップを固定するために注出口の外側にねじが切られている注出口の内側に溝を設け、他のチューブ状容器の注出口の外側に設けられたねじ山に螺合することを特徴とするチューブ状容器。【選択図】図１
2018002276.tif 000002
【特許請求の範囲】
【請求項１】
一端に注出口を有するチューブ状容器において、内容物の漏出を防止するキャップを固定するために注出口の外側にねじが切られている注出口の内側に溝を設け、他のチューブ状容器の注出口の外側に設けられたねじ山に螺合することを特徴とするチューブ状容器。
【請求項２】
チューブ状容器を密封させるキャップに他のゲル状物用容器を接続できる管路が設けられ、その管路に各容器の注口を接続させることでゲル状内容物を一方から他方に移動させることができるキャップを有する請求項１に記載のチューブ状容器。
【請求項３】
ふたつのゲル状物用容器の注入口を接続させるためにそれぞれの注出口に接続できる管路を有する接続具を有する請求項１に記載のチューブ状容器。
【発明の詳細な説明】
【技術分野】
【０００１】
本発明は内容物を補填もしくは小分けし易くしたゲル状物用容器（以下、チューブ状容器という）に関し、特に、内容物のゲル状物を使用後、空の当該容器に、ゲル状物を補填して当該容器を繰り返し使用できるようにしたチューブ状容器に関する。
【背景技術】
【０００２】
食品、歯磨剤、医薬品、化粧品、絵具、接着剤などのゲル状物はチューブ状の容器内に充填し、該チューブの一端にある注出口より容器の外側を押圧して内容物を搾り出して使用することが多い。そして、この容器はアルミ、スズ、鉛などの金属箔や耐気体透過性の優れたプラスチックシート或いはこれらの金属箔とプラスチックシートとの積層シート等の材質で構成されているため密封性がよく、内容物の保存性に優れている．通常、内容物を使い切った後、チューブ状容器は直ちに廃棄されているが、この容器の価格は内容物の価格に比して比較的に高価なものが多いので直ちに廃棄することは勿体ないばかりでなく、環境上の問題も生じる。
他方、例えば洗剤等の液体物のある種のものは注出口にポンプを取り付けたボトル内に収納し、ポンプを通して少量ずつ取り出して使用し、ボトル内の洗剤等の内容物を使い切った後は環境上の問題からボトルを直ちに廃棄するのではなく、一旦注出口にあるポンプを外してボトル内に新たな内容物を詰替用包装袋から補填してボトルを再使用することが普通に行われている。しかし、内容物が粘稠なゲル状物のチューブ状容器については注出口より内容物を補填することは困難であった。
【発明の概要】
【発明が解決しようとする課題】
【０００３】
そこで、本発明者は内容物が粘稠なゲル状の場合についてもチューブ状容器を再使用できるように種々検討した結果、本発明を完成したもので、本発明は空になったゲル状物容器に内容物を補填して再使用可能にするチューブ状容器を提供するものである。
【課題を解決するための手段】
【０００４】
本発明の要旨は、一端に注出口を有するチューブ状容器において、内容物の漏出を防止するキャップを固定するために注出口の外側にねじが切られている注出口の内側に溝を設け、他のチューブ状容器の注出口の外側に設けられたねじ山に螺合することを特徴とするチューブ状容器である。
【発明の効果】
【０００５】
本発明に係るゲル状物を収納した一端に注出口を有するチューブ状容器は、注出口の外面に内容物の漏出を防止するキャップを固定するためのねじが切られているので、通常のチューブ状容器として使用できると共に、その注出口の内面には溝を設けてあるので、他のチューブ状容器の注入口外面のねじ山と螺合して二つのチューブ状容器を密着密閉させることができるので、他方の容器内内容物が空になったとき、或いは、持ち歩き等に便利な小分け用チューブ状容器に内容物を容易に供給することができる。
【図面の簡単な説明】
【０００６】
【図１】本発明にかかるチューブ状容器本体の斜視図
【図２】その正面断面図
【図３】そのキャップの斜視図
【図４】小分け用容器本体とそのキャップの斜視図
【図５】２つのチューブ状容器の接合状態を示す説明図
【発明を実施するための形態】
【０００７】
本発明について更に具体的に説明する。
本発明において使用するチューブ状容器は通常、食品、歯磨剤、医薬品、化粧品、絵具、接着剤等に使用されている容器でよいが復元性のある材質で構成されたものが好ましい。その容器の大きさは特に限定はないが、他の容器に内容物を供給するので、通常のものより大きいものが好ましい。また、この容器の注出口は、他の容器の注出口に接続される場合、他の容器の注出口の外側のねじ溝にこの容器の内面のねじ溝に螺合するのであるから、この容器の注出口は他の容器の注出口を覆う寸法である。チューブ状容器の接続法としては、一方の注出口内径を他方の注入口外径よりも大きくし、捩じり込める構造でもよいし、両方の容器の注出口の外径が同じでありながら、先端部を嵌合できる構造であってもよい。また、本来内容物の漏出を防ぐ目的で使用するキャップに、あらかじめ双方の注出口を連結できる管路を設けておいてもよいし、双方の注出口を接続できるチューブであってもよい。  
【０００８】
他の容器への内容物の供給に際しては、空になった容器もしくは小分け用容器の注入口が上になる状態でしばらく静置し、残存内容物が容器終端に集まるのを待つか、或いは小分け用容器の注入口側キャップをした状態で勢よく振って遠心力で残存内容物を容器終端に集め、キャップを外し静かに押圧して容器内の残存空気を排出させてチューブ内に空気が入っていない状態にしてから、両チューブ状容器を接続し、内容物が入ったチューブを押圧する等によって、補填用内容物を他のチューブ状容器に容易に補填することが出来る。
【実施例】
【０００９】
次に実施例として本発明に係る容器を図により具体的に説明する。
実施例１
図１において、本発明にかかるチューブ状容器１は注出口３を有するチューブ状胴体部２とキャップ４より成る。キャップ４の内側は、注出口３の外側のねじ山５に合うように、溝７が設けられている（図３参照）。また、チューブ状容器１の注出口３の内側にはねじ溝６が設けられており、接合される他のチューブ状容器８にある注出口５外側のねじ山と螺合する。本発明に係るチューブ状容器１より他の容器８に内容物を充填するには、他のゲル状物容器８から空気を押し出した状態にして、同じく内容物を残したまま空気のみを押し出したチューブ状物容器１の注出口３に捩じり込ませ密閉して、容器１を押し出すことで他の容器８に内容物を充填することができる。
実施例２
【００１０】
実施例１で述べたように、チューブ状容器１はキャップ４で、他の容器８はキャップ１１で密閉されている（図４参照）。他の容器８が空になった時にチューブ状容器１の内容物で補填する。補填に際しては図５に示されている接続具１２を使用する。接続具１２は他の容器８の注出口９の外側に設けられているねじ山１０に嵌合するねじ溝７が設けられており、更に、管路１２を介してチューブ状容器の注出口３の内周面に設けられているねじ溝６に嵌合するねじ山５が設けられている。チューブ状容器１の内容物を他の容器８に移し替える際には、他の容器８のキャップ１１を外し、空気を押し出した状態にして接続具１３のねじ溝７を他の容器のねじ山１０に嵌合し、同じチューブ状容器１のキャップ４を外し、内容物を残し空気を押し出し注出口３のねじ山５に嵌合して接続具１３を介して２つの容器を接合する。そして、チューブ状容器１を押すことにより内容物のゲル状物を他の容器８内に圧入して補填する。
実施例３
【００１１】
実施例１で述べたように、チューブ状容器１の注出口３の外周面にはキャップ４に合わさるようにねじ山５が設けられており、キャップで密閉し内容物漏出を防ぐ構造となっている。また他の容器８も注出口９を有するチューブ状胴体本部とキャップ１１とから構成されている。これら注出口３および注出口９の内径あるいは外径に合わせた例えばシリコーンなど柔軟性がある素材からなるチューブを連結器具としてもよいし、各注出口で切られたねじ山にあわせたねじ溝を内側に設けた例えばＡＢＳ製の硬質樹脂を素材とする管であってもよい。それぞれの容器から空気を押し出した状態で、内容物を残し空気をのみを押し出した状態で連結器具で注出口３と９とを接続し、内容物を一方から他方に補填させる。
本発明においては簡単な操作によってチューブ状の容器内のジェリー状内容物を他の容器に補填もしくは補充することによって他のチューブ状容器を何回も使用できるので、経済的であると共に環境にもよい結果をもたらす。
【産業上の利用可能性】
【００１２】
本発明においては簡単な操作によってチューブ状容器内の内容物を容易に且つ確実に他の容器内に行こうさせることが出きるので、空のチューブ状容器内に内容物を補填したり、或いは小分け用の容器に内容物を充填したりできるので、極めて有用である。
【符号の説明】
【００１３】
１  チューブ状容器      ２  チューブ状容器の胴本体        ３    注出口
４  注出口用キャップ      ５  注出口外周面のねじ山
６  注出口内周面のねじ溝      ７  キャップ内面の溝      ８  他のチューブ状容器  ９  他の容器の注出口      １０  他の容器注出口のねじ山
１１  他の容器のキャップ      １２  接続具      １３  管路
【図１】
2018002276.tif 000003
【図２】
2018002276.tif 000004
【図３】
2018002276.tif 000005
【図４】
2018002276.tif 000006
【図５】
2018002276.tif 000007